(57)【要約】 【課題】浴槽のハンドグリップに、洗浄ノズルだけでなく、ミスト状に噴出可能なミストノズルも設けることで、浴槽を複雑な構造とすることなく、ミストシャワー及びミストサウナとしても利用可能な構成を実現する。【解決手段】浴槽の内壁面にハンドグリップを備え、ハンドグリップに、浴槽内を洗浄するための湯水を噴出する洗浄ノズルと、浴槽内でミスト浴を行うための湯水を噴出するミストノズルとが取り付けられており、ハンドグリップは中空部を備え、中空部が洗浄ノズルあるいはミストノズルへ湯水を供給する配管通路となっており、中空部の配管通路は洗浄ノズルへ湯水を供給する洗浄配管部と、ミストノズルへ湯水を供給するミスト配管部とに分けられており、洗浄配管部とミスト配管部への湯水の供給が切替弁により切り替えられる。【選択図】図１
2009060984.tif 000002
【特許請求の範囲】
【請求項１】
内壁面にハンドグリップを備えた浴槽であって、ハンドグリップに、浴槽内を洗浄するための湯水を噴出する洗浄ノズルと、浴槽内でミスト浴を行うための湯水を噴出するミストノズルとが取り付けられていることを特徴とする浴槽。
【請求項２】
請求項１記載の浴槽であって、ハンドグリップは内部が中空に形成された中空部を備え、中空部が洗浄ノズルあるいはミストノズルへ湯水を供給する配管通路となっていることを特徴とする浴槽。
【請求項３】
請求項２記載の浴槽であって、中空部の配管通路は洗浄ノズルへ湯水を供給する洗浄配管部と、ミストノズルへ湯水を供給するミスト配管部とに分けられており、洗浄配管部とミスト配管部への湯水の供給が切替弁により切り替えられることを特徴とする浴槽。 
【請求項４】
請求項１から３のいずれかに記載の浴槽であって、洗浄ノズルがハンドグリップの上側部、ミストノズルがハンドグリップの下側部に取り付けられていることを特徴とする浴槽。
【発明の詳細な説明】
【技術分野】
【０００１】
本発明は、浴槽に関し、特に、浴槽のハンドグリップに洗浄ノズルとミストノズルを設け、切替弁により配管経路を切り替えて、浴槽内に洗浄水もしくはミストを噴出させることのできる浴槽に関する。
【背景技術】
【０００２】
浴槽に把手を取り付けたり、浴槽内を洗浄するために洗浄ノズルを設ける構成は、従来知られているが、浴槽の把手に洗浄ノズルを設けたものも知られている（特許文献１参照）。
【０００３】
そして、浴槽の上面に膨出状に取付部を設け、取付部に複数のノズルを取付けて、ノズルから温水を噴出させるものが知られている（特許文献２参照）。さらに、浴槽の開口部全周に円管が配設されており、円管の内側壁に散水孔が連設されたものが知られている（特許文献３参照）。
【特許文献１】実開平４−７７８６８号公報
【特許文献２】実開平５−７８２２９号公報
【特許文献３】特開平８−２４１５０号公報
【発明の開示】
【発明が解決しようとする課題】
【０００４】
上記のとおり、従来は、浴槽に洗浄ノズルを設ける構成は知られている。ところで、浴槽にミストノズルを設け、温水をミスト状にして噴出（噴霧）できれば、使用者は、浴槽内に温水を入れることなく、ミストシャワー又はミストサウナとして使用でき、浴槽の利用の幅も広げることも可能である。しかし、浴槽に洗浄ノズルに加えてミストノズルを設けると、浴槽が複雑な構造となってしまう。
【０００５】
本発明は、上記従来の状況に鑑み、浴槽のハンドグリップに、洗浄ノズルだけでなく、さらに、湯水をミスト状に噴出可能なミストノズルも設けることで、浴槽を複雑な構造とすることなく、ミストシャワー又はミストサウナとしも利用可能な構成を実現しようとすることを課題とするものである。
【課題を解決するための手段】
【０００６】
本発明は上記課題を解決するために、内壁面にハンドグリップを備えた浴槽であって、ハンドグリップに、浴槽内を洗浄するための湯水を噴出する洗浄ノズルと、浴槽内でミスト浴を行うための湯水を噴出するミストノズルとが取り付けられていることを特徴とする浴槽を提供する。
【０００７】
ハンドグリップは内部が中空に形成された中空部を備え、中空部が洗浄ノズルあるいはミストノズルへ湯水を供給する配管通路となっていることが好ましい。
【０００８】
中空部の配管通路は洗浄ノズルへ湯水を供給する洗浄配管部と、ミストノズルへ湯水を供給するミスト配管部とに分けられており、洗浄配管部とミスト配管部への湯水の供給が切替弁により切り替えられることが好ましい。 
【０００９】
洗浄ノズルがハンドグリップの上側部、ミストノズルがハンドグリップの下側部に取り付けられていることが好ましい。
【発明の効果】
【００１０】
本発明の浴槽によれば、浴槽のハンドグリップに、洗浄ノズルとミストノズルを組み込みミスト状に噴出可能なことで、浴槽を複雑な構造とすることなく、浴槽の洗浄機能だけでなく、ミストシャワー又はミストサウナとしも利用でき、浴槽の機能を拡げることが可能となる。
【発明を実施するための最良の形態】
【００１１】
本発明の浴槽を実施するための最良の形態を実施例に基づき図面を参照して、以下説明する。
【実施例】
【００１２】
図１〜３は、本発明の浴槽１の特徴的な構成を説明する図である。本発明の浴槽１は、その内壁面２に、図１に示すようなハンドグリップ３が取り付けられている。このハンドグリップ３は、上側部４、下側部５及びエルボ８を備えている。ハンドグリップ３の上側部４及び下側部５は、後記するが、いずれも中空部を備え、これら中空部が湯水を供給する配管通路となっており、この配管通路は、洗浄配管部とミスト配管部に分けられている。このようにハンドグリップ３の中空部が配管通路として利用されており、専用の配管部材を用いることなく、簡易な構造で浴槽の洗浄機能、ミストシャワー又はミストサウナを実現できる。
【００１３】
ハンドグリップ３の上側部４は、図１及び図２に示すように、浴槽１の縦方向（長手方向）に延び、内壁面２に沿って形成されている。下側部５は、上側部４の一端側から下方に延びるように形成されている。エルボ８は、上側部４の一端部６と下側部５の上端部７を、互いに結合し、且つこれらを浴槽１の内壁面２に固定している。
【００１４】
エルボ８は、図３（ａ）、（ｂ）に示すように、ハンドグリップ３の上側部４の一端部６を嵌合して受け入れねじ９で固定する上部固定凹部１０と、ハンドグリップ３の下側部５の上端部７を嵌合して受け入れねじ９で固定する下部固定凹部１１と、浴槽１の内壁面２を貫通して側方に延びる取付部１２と、取付部１２の先端側に形成されナット１３を螺着して、浴槽１の内壁面２に固定するネジ部１４とを備えている。
【００１５】
ハンドグリップ３の上側部４は、図２（ａ）、（ｂ）に示すように、平面視で略¬型をしており、パイプ状に形成され、その中空部１５は浴槽を洗浄する湯水（本明細書では「洗浄水」という。）を供給する配管通路の洗浄配管部として機能するが、その一端部６は、図２（ａ）に示すように、中実部が形成され中空部１５が閉じられている。
【００１６】
ハンドグリップ３の上側部４の他端部１６は、図２（ａ）に示すように、屈曲して形成されている。この他端部１６は、浴槽１の内壁面２を貫通して側方に延びる取付部１７と、取付部１７の先端に形成されナット１３が螺着されて浴槽１に固定されるネジ部１８を備えている。そして、このネジ部１８には、カップリング１９等により、洗浄水供給管２０が装着される。
【００１７】
さらに、ハンドグリップ３の上側部４には、複数（この実施例では２つ）の洗浄ノズル２１が設けられている。この洗浄ノズル２１は、図２（ｂ）に示すように、ハンドグリップ３の取り付けられた内壁面２に対向する側部２２及び浴槽１の長手方向の両端部２３（前端部及び後端部）の内壁面２に向けて、洗浄水を噴出して洗浄するノズル孔２４が形成されている。複数の洗浄ノズル２１は、ハンドグリップ３の長手方向に適宜間隔をおいて設けられている。このように洗浄ノズル２１がハンドグリップ３の上側部４に取り付けられているので、洗浄水が対向する側部２２及び両端部２３において、上部から下部へ流れ落ちるので、広範囲にわたって浴槽が洗浄でき、洗浄性能を確保しやすい。
【００１８】
ハンドグリップ３の下側部５は、図３（ｂ）に示すように、略Ｌ型をしており、浴槽１の上下方向に向け内壁面２に沿うように取り付けられている。ハンドグリップ３の下側部５は、パイプ状に形成され、その中空部２５は、ミスト浴を行うための湯水（本明細書では「ミスト湯水」という。）を供給する配管通路のミスト配管部として機能するが、その上端部７には、図３（ａ）、（ｂ）に示すように、中実部が形成されて中空部２５が閉じられている。
【００１９】
ハンドグリップ３の下側部５の下端部２６は、図３（ｂ）に示すように、屈曲して形成されている。この下端部２６は、浴槽１の内壁面２を貫通して後方に延びる取付部２７と、取付部２７の先端側に位置しナット１３が螺着されて浴槽１に固定されるネジ部２８とを備えている。ネジ部２８には、カップリング１９等によりミスト湯水供給管２９が装着されている。
【００２０】
ハンドグリップ３の下側部５には、複数（この実施例では２つ）のミストノズル３０が設けられている。このミストノズル３０は、浴槽１内の入浴者に向けて温水ミストを噴出するように形成されている。ミストノズル３０は、小径のミスト流出孔３１が形成されており、ミスト湯水供給管２９から供給されるミスト湯水を微細な水滴から成るミストとして噴出する。
【００２１】
本発明の浴槽１におけるハンドグリップ３の構成は、以上のとおりであるが、ハンドグリップ３に設けられた洗浄ノズル２１に洗浄水を供給し、またミストノズル３０にミスト湯水を供給する湯水の供給配管装置の全体構成を、図４に示すブロック図によって、以下に説明する。
【００２２】
湯水の供給配管装置は、洗浄ノズル２１に洗浄水を供給する洗浄水供給管２０と、ミストノズル３０にミスト湯水を供給するミスト湯水供給管２９と、洗浄水及びミスト湯水を供給する機能ユニット３５と、機能ユニット３５に洗剤を供給する洗剤供給部である洗剤供給タンク３６と、機能ユニット３５に湯水を供給する湯水供給部３７を備えている。
【００２３】
図４に示すように、洗浄水供給管２０及びミスト湯水供給管２９は、それぞれ切替三方弁３８に接続されており、切替三方弁３８は、供給管３９を介してベンチュリ４０に接続されている。
【００２４】
湯水供給部３７は、水を加熱し湯水として供給する装置であり、通常は、浴槽１、水栓４１、台所等に給湯する給湯器が使用される。この湯水供給部３７には、水道管４２から水道水が供給され、また追い焚き用の配管４３を通して浴槽１からの湯水も供給され、加熱されて浴槽用供給管４３’から浴槽１に湯水が供給される。
【００２５】
湯水供給部３７は、洗浄／ミスト切替リモコン４４、浴室リモコン４５、台所リモコン４６等の操作によって、制御される。湯水供給部３７から湯水供給管４７を通して機能ユニット３５や水栓４１に湯水を供給する。
【００２６】
機能ユニット３５は、水通路部４８を有しており、この水通路部４８に、順次、フィルタ４９、水量サーボ弁５０、流量センサ５１、注湯電磁弁５２、逆止弁５３、縁切り弁５４、逆止弁５５及びベンチュリ４０が配置されている。また、機能ユニット３５は、ベンチュリ４０に連通する洗剤電磁弁５６を備えている。
【００２７】
水通路部４８に設けられた各機器は、制御装置５７で制御される。制御装置５７からの洗浄開始信号が注湯電磁弁５２に送られると注湯電磁弁５２が開き、湯水供給部３７から湯水供給管４７を通して、機能ユニット３５内に湯水が送られる。機能ユニット３５のフィルタ４９は、湯水供給部３７から出湯された湯水を受けてろ過し、流量センサ５８が湯水の瞬間的な流量（流量／時間）を計量して計量信号を制御装置５７に送信する。
【００２８】
制御装置５７は、その計量値を水量サーボ弁５０に送信し、水量サーボ弁５０はその計量値に応じて適宜、弁の開閉度合いまたは開時間を制御し、洗浄ノズル２１が洗浄水を、またミストノズルがミスト湯水を噴出するに適した流量となるように刻々と制御する。２つの逆止弁５３、５５は洗浄水の逆流を防止し、縁切り弁５４は、逆止弁５３、５５で止水された洗浄水を水通路部４８から機能ユニット３５外に排水管を通して排出する。
【００２９】
洗剤供給タンク３６は、洗剤液を入れるタンクであり、洗剤液の充填状態は、フロートスイッチ５８で検知されており、充填量が少なくなったらその検知信号を制御装置５７に送信し、制御装置５７で洗剤切れ信号を発生するように構成されている。
【００３０】
制御装置５７は、洗浄／ミスト切替リモコン４４で操作されるが、この洗浄／ミスト切替操作をした場合は、切替三方弁３８を洗浄水供給管２０側に切替えるとともに、注湯電磁弁５２が開き、洗浄水となる湯水を洗浄ノズル２１に一定量供給する。制御装置５７は、注湯電磁弁５２が開いている間、洗剤電磁弁５６を開くように制御し、洗剤液を洗剤供給管５９を通してベンチュリ４０に供給する。
【００３１】
ベンチュリ４０に供給された洗剤液は、ベンチュリ４０を通過する湯水に混入される。これによって、洗剤入りの洗浄水が調製されて、供給管３９、洗浄湯水供給管２０及び中空部１５と通して洗浄ノズル２１に供給される。
【００３２】
洗浄／ミスト切替リモコン４４でミスト切替操作をした場合は、切替三方弁３８をミスト湯水液供給管２９側に切替えるとともに、注湯電磁弁５２を開く。制御装置５７は、注湯電磁弁５２が開いている間、湯水を、機能ユニット３５から供給管３９、ミスト湯水供給管２９、中空部２５を通してミストノズル３０に供給する。
【００３３】
（作用）
以上の構成の本発明の浴槽１の作用を以下に説明する。浴槽１の洗浄時には、洗浄／ミスト切替リモコン４４で操作された制御装置５７によって、切替三方弁３８を洗浄水供給管２０側に切り替え、洗剤電磁弁５６を開き、さらに注湯電磁弁５２が開くと、湯水供給部３７から洗浄水となる湯水が、機能ユニット３５の水通路部４８を流れる。
【００３４】
機能ユニット３５の水通路部４８では、湯水の瞬間的な供給流量（供給流量／時間）を流量センサ５８で計量し、その計量値に基づき、制御装置５７が水量サーボ弁５０の開閉を制御し刻々と供給流量を調整し、さらに、ベンチェリ４０で洗剤液を混合し、洗剤入り洗浄水として洗浄水供給管２０を通して、ハンドグリップ３の上側部４に供給され、洗浄ノズル２１に送る。洗浄ノズル２１から噴出された洗浄水は、浴槽１の内面に噴出されて洗浄が行われる。
【００３５】
ミスト噴出時には、洗浄／ミスト切替リモコン４４で操作された制御装置５７によって、切替三方弁３８をミスト湯水供給管２９側に切り替え、洗剤電磁弁５６を閉じ、さらに注湯電磁弁５２が開くと、湯水供給部３７から洗浄水である湯水を機能ユニット３５の水通路部４８を通して、ハンドグリップ３の下側部５に供給し、ミストノズル３０から浴槽１内の使用者に向けてミストを噴出する。
【００３６】
洗浄水の供給の場合と同様に、機能ユニット３５の水通路部４８では、湯水の瞬間的な供給流量（供給流量／時間）を流量センサ５１で計量し、その計量値に基づき、制御装置５７が水量サーボ弁５０の開閉を制御し刻々と供給流量を調整する。このようなミストノズル３０の噴出では、「ミストシャワー」と「ミストサウナ」の２つの使用態様がある。
【００３７】
ミストシャワーでは、浴槽１には、お湯張りをすることなく、洗浄／ミスト切替リモコン４４のスイッチをミスト側に切替え、湯水供給部３７の給湯温度を４０℃前後に自動設定し、切替三方弁３８をミスト湯水供給管２９側に切り替え、ミストの噴出を行うことができる。浴槽１内の入浴者は、ミストの噴出を受け、ミスト湯水の給湯温度は、必要に応じて入浴者は手動設定可能な構成としてもよい。
【００３８】
ミストサウナでは、浴槽１内にはお湯張りはすることなく、洗浄／ミスト切替リモコンのスイッチをＯＮし、湯水供給部３７の給湯温度を４８℃前後に自動設定し、切替三方弁３８をミスト湯水供給２０管側に切り替え、ミストの噴出を行う。この場合は、浴槽１に蓋をして、浴槽１内の入浴者は、ミストの噴出を受けミストサウナ入浴を受けることができる。ミスト湯水の給湯温度は、必要に応じて入浴者が、浴室リモコン４５によって手動設定可能な構成としてもよい。
【００３９】
以上、本発明に係る浴槽を実施するための最良の形態を実施例に基づいて説明したが、本発明はこのような実施例に限定されるものではなく、特許請求の範囲に記載された技術的事項の範囲内でいろいろな実施例があることは言うまでもない。
【図面の簡単な説明】
【００４０】
【図１】図１は、本発明の浴槽の実施例を説明する要部斜視図であり、本発明の特徴的な構成を説明する図である。
【図２】本発明に係る浴槽の実施例の各部の構成を説明する図であり、（ａ）は要部水平断面図であり、（ｂ）は平面図である。
【図３】本発明に係る浴槽の実施例の各部の構成を説明する図であり、（ａ）は要部垂直断面図であり、（ｂ）は要部の垂直断面図である。
【図４】本発明に係る浴槽の洗浄ノズル及びミストノズルに洗浄水及びミスト湯水を供給する湯水の供給配管装置の全体構成を説明するブロック図である。
【符号の説明】
【００４１】
１  浴槽                                
２  浴槽の内壁面                           
３  ハンドグリップ                         
４  ハンドグリップの上側部                   
５  ハンドグリップの下側部                   
６  ハンドグリップの上側部の一端部            
７  ハンドグリップの下側部の上端部            
８  エルボ                                
９  ねじ                                     
１０  エルボの上部固定凹部                   
１１  エルボの下部固定凹部                   
１２  エルボの取付部                          
１３  ナット                                 
１４  エルボのネジ部                          
１５  ハンドグリップの上側部の中空部                  
１６  ハンドグリップの上側部の他端部            
１７  ハンドグリップの上側部の取付部            
１８  ハンドグリップの上側部のネジ部            
１９  カップリング                           
２０  洗浄水供給管                          
２１  洗浄ノズル                             
２２  浴槽の側部                           
２３  浴槽の長手方向の両端部                  
２４  洗浄ノズルのノズル孔                    
２５  ハンドグリップの下側部の中空部                  
２６  ハンドグリップの下側部の下端部         
２７  ハンドグリップの下側部の取付部         
２８  ハンドグリップの下側部のネジ部         
２９  ミスト湯水供給管                        
３０  ミストノズル                           
３１  小径のミスト流出孔                      
３５  機能ユニット                           
３６  洗剤供給タンク                         
３７  湯水供給部                             
３８  切替三方弁                             
３９  供給管                                 
４０  ベンチュリ                             
４１  水栓                                   
４２  水道管
４３  追い焚き用配管                                 
４３’  浴槽用供給管                           
４４  洗浄／ミスト切替リモコン               
４５  浴室リモコン                           
４６  台所リモコン                           
４７  湯水供給管                             
４８  水通路部                               
４９  フィルタ                               
５０  水量サーボ弁                           
５１  流量センサ                             
５２  注湯電磁弁                             
５３、５５  逆止弁                                 
５４  縁切り弁                               
５６  洗剤電磁弁                             
５７  制御装置                               
５８  フロートスイッチ                       
５９  洗剤供給管                             
【図１】
2009060984.tif 000003
【図２】
2009060984.tif 000004
【図３】
2009060984.tif 000005
【図４】
2009060984.tif 000006